(57)【要約】【課題】各種電子機器に使用されるダンパー装置に関し、簡易な構成で、多様な開閉操作が可能なものを提供することを目的とする。【解決手段】ばね６によって弾接した固定板１５と可動板１６を、可動軸３の回転に伴い異なる当接面積で弾接させることによって、ダンパー力を開閉角度に応じて変化させることができるため、簡易な構成で、例えば、開いた直後から同じ速度で一律に開操作を行う等の、多様な開閉操作が可能なダンパー装置を得ることができる。【選択図】図１
2007321835.tif 000002
【特許請求の範囲】
【請求項１】
略円筒状の固定ケースと、この固定ケース内に軸線方向へ移動可能に収納された固定板と、上記固定ケース内に回転可能に挿入された可動軸と、この可動軸に軸線方向へ移動可能に装着された可動板と、上記固定板と上記可動板を弾接させるばねからなり、上記可動軸の回転に伴い上記固定板と上記可動板が異なる当接面積で弾接するダンパー装置。
【発明の詳細な説明】
【技術分野】
【０００１】
本発明は、携帯電話やパーソナルコンピュータ等の、各種電子機器に使用されるダンパー装置に関するものである。
【背景技術】
【０００２】
近年、携帯電話やパーソナルコンピュータ等の電子機器の小型化や軽量化が進むなか、固定筐体に対し可動筐体が開閉可能に装着された、所謂、折畳み式のものが増えており、これらに用いられるヒンジ装置やダンパー装置においても、確実でより多様な開閉操作が行えるものが求められている。
【０００３】
このような従来のダンパー装置について、図５〜図７を用いて説明する。
【０００４】
図６は従来のダンパー装置の断面図、図７は同分解斜視図であり、同図において、１は略円筒状で金属製の固定ケース、２は略円板状で金属製の複数の固定板で、固定板２の外周には外方へ突出する突起部２Ａが設けられ、この突起部２Ａが固定ケース１の溝部１Ａに挿入されて、複数の固定板２が固定ケース１内に軸線方向へ移動可能に収納されている。
【０００５】
そして、３は固定ケース１内に挿入された金属製の可動軸、４は略円板状で金属製の複数の可動板で、この複数の可動板４が複数の固定板２の間に交互に配置されると共に、可動板４の中央には角孔部４Ａが設けられ、この角孔部４Ａに略角柱状の可動軸３が挿通されて、複数の可動板４が可動軸３に軸線方向へ移動可能に装着されている。
【０００６】
また、５は固定ケース１左側面の開口部を覆うカバー、６はコイル状のばねで、このばね６がやや撓んだ状態でカバー５右側面と固定板２の間に装着されて、複数の固定板２と複数の可動板４を弾接させると共に、複数の固定板２と複数の可動板４の間には高粘度の潤滑剤（図示せず）が塗布されている。
【０００７】
さらに、７と８は略円環状でゴム等のＯリングで、Ｏリング７が止め輪９によって、全体がやや撓んだ状態でカバー５と可動軸３の間に、Ｏリング８がカバー５と固定ケース１の間に各々装着されて、固定ケース１内の気密性が保たれるようになっている。
【０００８】
そして、複数の可動板４を装着し、複数の固定板２中央の貫通孔を挿通した可動軸３の右端が、固定ケース１の内側面に回転可能に保持されると共に、カバー５左側面からは可動軸３左端に形成された取付部３Ａが回転可能に突出して、ダンパー装置１０が構成されている。
【０００９】
また、このように構成されたダンパー装置１０は、例えば、図５の携帯電話の斜視図に示すように、固定ケース１が、上面に複数のキーが配列された操作部１１Ａやマイクロフォン等の音声入力部１１Ｂが形成された固定筐体１１へ、可動軸３の取付部３Ａが、表面にＬＣＤ等の表示部１２Ａやスピーカ等の音声出力部１２Ｂが形成された可動筐体１２へ各々固着される。
【００１０】
さらに、固定筐体１１と可動筐体１２の間には、複数のカムやばね（図示せず）等から形成されたヒンジ装置１３が装着され、このヒンジ装置１３によって、可動筐体１２が固定筐体１１に対し、閉方向や開方向へ付勢されるようにして、電子機器が構成される。
【００１１】
以上の構成において、例えば、可動筐体１２が閉じた状態から、固定筐体１１側面の押釦（図示せず）等を押圧操作すると、ヒンジ装置１３のカムやばね等が動作して、可動筐体１２に開く方向の力が加わり、可動筐体１２が開方向へ付勢されて開操作が行われる。
【００１２】
そして、この時、ダンパー装置１０の、可動筐体１２に取付部３Ａが固着された可動軸３も開方向へ回転し、可動軸３に装着された複数の可動板４が回転するが、この可動板４には、可動板４の間に交互に配置され固定ケース１に装着された複数の固定板２が、ばね６によって弾接すると共に、可動板４と固定板２の間には高粘度の潤滑剤が塗布されているため、複数の可動板４と固定板２の間には開方向に対する抵抗が発生する。
【００１３】
つまり、可動筐体１２にはヒンジ装置１３によって開く方向への力が加わるが、同時にダンパー装置１０によって開方向に対する抵抗も加わるため、可動筐体１２の開操作が急激にではなく、緩やかに行われるように構成されている。
【００１４】
なお、ヒンジ装置１３の可動筐体１２を開く力は、一般に、可動筐体１２が開いた直後が最も大きく、開く角度が大きくなるにしたがって小さな力となるが、これに対するダンパー装置１０の抵抗、すなわちダンパー力は、潤滑剤を介して弾接した略円板状の複数の可動板４と固定板２の間の抵抗によって生じているため、開いた角度に関係なく常に一定に働く。
【００１５】
つまり、可動筐体１２にはダンパー装置１０によって一定の抵抗が働き、開操作は緩やかに行われるが、その開く速度はヒンジ装置１３が可動筐体１２を開く力によって決められている。
【００１６】
したがって、可動筐体１２の開く速度は、操作直後には速やかに開き、この後、開く角度が大きくなるのに伴って、速度が徐々に遅くなるように構成されているものであった。
【００１７】
なお、この出願の発明に関連する先行技術文献情報としては、例えば、特許文献１が知られている。
【特許文献１】特開２００４−１５０５７５号公報
【発明の開示】
【発明が解決しようとする課題】
【００１８】
しかしながら、上記従来のダンパー装置においては、潤滑剤を介して弾接した略円板状の複数の可動板４と固定板２の間の抵抗によって、一定のダンパー力しか得ることができず、可動筐体１２を開く速度は、ヒンジ装置１３が可動筐体１２を開く力によって定まるため、例えば、開いた直後から所定角度に開くまでの間、同じ速度で一律に開操作を行うといった、多様な開閉操作を行うことが困難であるという課題があった。
【００１９】
本発明は、このような従来の課題を解決するものであり、簡易な構成で、多様な開閉操作が可能なダンパー装置を提供することを目的とする。
【課題を解決するための手段】
【００２０】
上記目的を達成するために本発明は、ばねによって弾接した固定板と可動板を、可動軸の回転に伴い異なる当接面積で弾接するようにしてダンパー装置を構成したものであり、固定板と可動板を回転に応じて異なる当接面積で弾接させることによって、ダンパー力を開閉角度に応じて変化させることができるため、簡易な構成で、例えば、開いた直後から同じ速度で一律に開操作を行う等の、多様な開閉操作が可能なダンパー装置を得ることができるという作用を有する。
【発明の効果】
【００２１】
以上のように本発明によれば、簡易な構成で、多様な開閉操作を行えるダンパー装置を実現することができるという有利な効果が得られる。
【発明を実施するための最良の形態】
【００２２】
以下、本発明の実施の形態について、図１〜図５を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるダンパー装置の断面図、図２は同分割斜視図であり、同図において、１は略円筒状で鋼や銅合金、焼結合金等の金属製の固定ケース、１５は略半円状で金属板製の複数の固定板で、固定板１５の外周には外方へ突出する突起部１５Ａが設けられ、この突起部１５Ａが固定ケース１の溝部１Ａに挿入されて、複数の固定板１５が固定ケース１内に軸線方向へ移動可能に収納されている。
【００２５】
そして、３は固定ケース１内に挿入された金属製の可動軸、１６は略扇状で金属板製の複数の可動板で、この複数の可動板１６が複数の固定板１５の間に交互に配置されると共に、可動板１６の中央には角孔部１６Ａが設けられ、この角孔部１６Ａに略角柱状の可動軸３が挿通されて、複数の可動板１６が可動軸３に軸線方向へ移動可能に装着されている。
【００２６】
また、５は固定ケース１左側面の開口部を覆うカバー、６はコイル状で鋼線製のばねで、このばね６がやや撓んだ状態でカバー５右側面と固定板１５の間に装着されて、複数の固定板１５と複数の可動板１６を弾接させると共に、複数の固定板１５と複数の可動板１６の間には、シリコンやオレフィン、フッ素等の高粘度の潤滑剤（図示せず）が塗布されている。
【００２７】
さらに、７と８は略円環状でゴム等のＯリングで、Ｏリング７が止め輪９によって、全体がやや撓んだ状態でカバー５と可動軸３の間に、Ｏリング８がカバー５と固定ケース１の間に各々装着されて、固定ケース１内の気密性が保たれるようになっている。
【００２８】
そして、複数の可動板１６を装着し、複数の固定板１５中央の貫通孔を挿通した可動軸３の右端が、固定ケース１の内側面に回転可能に保持されると共に、カバー５左側面からは可動軸３左端に形成された取付部３Ａが回転可能に突出して、ダンパー装置２０が構成されている。
【００２９】
また、このように構成されたダンパー装置２０は、例えば、図５の携帯電話の斜視図に示すように、固定ケース１が、上面に複数のキーが配列された操作部１１Ａやマイクロフォン等の音声入力部１１Ｂが形成された固定筐体１１へ、可動軸３の取付部３Ａが、表面にＬＣＤ等の表示部１２Ａやスピーカ等の音声出力部１２Ｂが形成された可動筐体１２へ各々固着される。
【００３０】
さらに、固定筐体１１と可動筐体１２の間には、複数のカムやばね（図示せず）等から形成されたヒンジ装置１３が装着され、このヒンジ装置１３によって、可動筐体１２が固定筐体１１に対し、閉方向や開方向へ付勢されるようにして、電子機器が構成される。
【００３１】
以上の構成において、例えば、可動筐体１２が閉じた状態から、固定筐体１１側面の押釦（図示せず）等を押圧操作すると、ヒンジ装置１３のカムやばね等が動作して、可動筐体１２に開く方向の力が加わり、可動筐体１２が開方向へ付勢されて開操作が行われる。
【００３２】
なお、ヒンジ装置１３の可動筐体１２を開く力は、一般に、可動筐体１２が開いた直後が最も大きく、開く角度が大きくなるにしたがって小さな力となるため、可動筐体１２が開く速度は、操作直後には速やかに開き、この後、開く角度が大きくなるのに伴って、速度が徐々に遅くなるようになっている。
【００３３】
そして、この時、ダンパー装置２０の、可動筐体１２に取付部３Ａが固着された可動軸３も開方向へ回転し、可動軸３に装着された複数の可動板１６が回転するが、この可動板１６には、可動板１６の間に交互に配置され固定ケース１に装着された複数の固定板１５が、ばね６によって弾接すると共に、可動板１６と固定板１５の間には高粘度の潤滑剤が塗布されているため、複数の可動板１６と固定板１５の間には開方向に対する抵抗が発生する。
【００３４】
さらに、固定板１５は略半円状、可動板１６は略扇状というように、固定板１５と可動板１６が円板状ではなく異なる形状に形成されているため、図３の部分斜視図や図４の平面図に示すように、固定板１５と可動板１６は可動軸３の回転に伴い、異なる当接面積で弾接する。
【００３５】
つまり、可動筐体１２が閉じた状態、すなわち開閉角度が０度の図３（ａ）や図４（ａ）の状態では、固定板１５と可動板１６は潤滑剤を介して、図４（ａ）にハッチングで示した、可動板１６全体の大きな当接面積で弾接しているため、可動板１６と固定板１５間の開方向に対する抵抗、すなわちダンパー力は最も大きな状態となっている。
【００３６】
そして、この閉状態から可動筐体１２が所定角度、例えば、図３（ｂ）や図４（ｂ）に示すように９０度開いた状態では、固定板１５と可動板１６の当接面積は、図４（ｂ）にハッチングで示すように、可動板１６の約半分の当接面積となっている。
【００３７】
さらに、図３（ｃ）や図４（ｃ）に示すように、可動筐体１２が１６０度開いた状態では、固定板１５と可動板１６の当接面積は、図４（ｃ）にハッチングで示すように、最も小さくなっており、開方向に対する抵抗、ダンパー力も最も小さくなっている。
【００３８】
つまり、ヒンジ装置１３が可動筐体１２を開く力が最も大きな、開閉角度が０度前後の状態では、ダンパー装置２０のダンパー力が最も大きく、この後、開く角度が大きくなり、ヒンジ装置１３の開く力が小さくなるにしたがって、ダンパー装置２０のダンパー力も小さくなるように構成されている。
【００３９】
すなわち、ダンパー装置２０のダンパー力を開閉角度や、ヒンジ装置１３の可動筐体１２を開く力に応じて変化させることによって、開いた直後から所定角度に開くまでの間、緩やかな同じ速度で一律に可動筐体１２の開操作が行えるようになっている。
【００４０】
このように本実施の形態によれば、ばね６によって弾接した固定板１５と可動板１６を、可動軸３の回転に伴い異なる当接面積で弾接させることによって、ダンパー力を開閉角度に応じて変化させることができるため、簡易な構成で、例えば、開いた直後から同じ速度で一律に開操作を行う等の、多様な開閉操作が可能なダンパー装置を得ることができるものである。
【００４１】
なお、以上の説明では、主に可動筐体１２を開く際の操作について説明したが、可動筐体１２を閉じる場合にも同様の効果が得られることは勿論であり、さらに、上記以外の様々なヒンジ装置の開閉力に応じて、固定板１５と可動板１６の形状を様々に変え、当接面積を変化させることによって、開閉角度に応じて多様な速度で開閉操作を行うことも可能である。
【００４２】
また、以上の説明では、複数の固定板１５と可動板１６の間に高粘度の潤滑剤を塗布することによって、可動板１６と固定板１５の間に開閉方向に対する抵抗、ダンパー力を生じさせる構成について説明したが、可動板１６や固定板１５にポリオキシメチレン等の比較的高粘性の材料や、潤滑剤含浸材料等を用い、これらを直接弾接させる構成としても、本発明の実施は可能である。
【産業上の利用可能性】
【００４３】
本発明によるダンパー装置は、簡易な構成で、多様な開閉操作が可能なものを得ることができ、各種電子機器に使用されるダンパー装置として有用である。
【図面の簡単な説明】
【００４４】
【図１】本発明の一実施の形態によるダンパー装置の断面図
【図２】同分解斜視図
【図３】同部分斜視図
【図４】同平面図
【図５】携帯電話の斜視図
【図６】従来のダンパー装置の断面図
【図７】同分解斜視図
【符号の説明】
【００４５】
１  固定ケース
１Ａ  溝部
３  可動軸
３Ａ  取付部
５  カバー
６  ばね
７、８  Ｏリング
９  止め輪
１１  固定筐体
１１Ａ  操作部
１１Ｂ  音声入力部
１２  可動筐体
１２Ａ  表示部
１２Ｂ  音声出力部
１３  ヒンジ装置
１５  固定板
１５Ａ  突起部
１６  可動板
１６Ａ  角孔部
２０  ダンパー装置
【図１】
2007321835.tif 000003
【図２】
2007321835.tif 000004
【図３】
2007321835.tif 000005
【図４】
2007321835.tif 000006
【図５】
2007321835.tif 000007
【図６】
2007321835.tif 000008
【図７】
2007321835.tif 000009